(57)【要約】【課題】電極組立体のケースへの挿入性を容易にすることができる蓄電装置を提供すること。【解決手段】二次電池１０の電極組立体１４は、正極活物質層、及び該正極活物質層と対向する負極活物質層を含む対向部Ｔと、対向部Ｔから正極活物質層の面に沿う方向に延出し、かつ正極活物質層の無い非対向部２４とを有する。非対向部２４は、電極組立体１４の積層方向の両端に向けて寄せ集められ、かつ寄せ集められた側の電極組立体１４の積層方向に直交する方向に沿う端面よりも積層方向へ突出している。さらに、寄せ集められた非対向部２４を覆って貼着された粘着テープ２５が、その寄せ集められた端面上の対向部Ｔに貼着されている。【選択図】図１
2014035916.tif 000002
【特許請求の範囲】
【請求項１】
正極活物質層が少なくともいずれか一方の面に形成された正極シート、
負極活物質層が少なくともいずれか一方の面に形成された負極シート、
及び前記正極シートと前記負極シートの間に介在するセパレータが積層されて構成された電極組立体が、ケースに収容された蓄電装置において、
前記電極組立体は、前記正極活物質層、及び該正極活物質層と対向する前記負極活物質層を含む対向部と、
前記対向部から前記正極活物質層及び前記負極活物質層の面に沿う方向に延出し、かつ前記正極活物質層及び前記負極活物質層の塗布されていない非対向部とを有し、
前記非対向部は、前記対向部における前記電極組立体の積層方向の両端のうち少なくともいずれか一端に向けて寄せ集められ、かつ寄せ集められた側の前記電極組立体の積層方向に直交する方向に沿う端面よりも前記積層方向へ突出しており、
さらに、前記寄せ集められた非対向部の少なくとも先端を覆って貼着された粘着テープが前記寄せ集められた側の端面上の前記対向部に貼着されていることを特徴とする蓄電装置。
【請求項２】
前記非対向部は、前記電極組立体の積層方向の両方の端面側に分けて寄せ集められている請求項１に記載の蓄電装置。
【請求項３】
前記粘着テープの両端部は前記積層方向の両方の端面の対向部に貼着され、前記粘着テープは寄せ集められた二つの非対向部に跨って貼着されている請求項２に記載の蓄電装置。
【請求項４】
前記粘着テープは、前記電極組立体の対向する位置に貼着されている請求項１〜請求項３のうちいずれか一項に記載の蓄電装置。
【請求項５】
前記粘着テープは、前記電極組立体の一部を覆うように貼着されている請求項１に記載の蓄電装置。
【請求項６】
前記蓄電装置は二次電池であることを特徴とする請求項１〜請求項５のうちいずれか一項に記載の蓄電装置。
【発明の詳細な説明】
【技術分野】
【０００１】
本発明は、正極活物質層が少なくともいずれか一方の面に形成された正極シート、負極活物質層が少なくともいずれか一方の面に形成された負極シート、及びセパレータが積層されてなる電極組立体を備えた蓄電装置に関する。
【背景技術】
【０００２】
ＥＶ（Ｅｌｅｃｔｒｉｃ  Ｖｅｈｉｃｌｅ）やＰＨＶ（Ｐｌｕｇ  ｉｎ  Ｈｙｂｒｉｄ  Ｖｅｈｉｃｌｅ）などの車両には、走行用モータへの供給電力を蓄える蓄電装置としての二次電池が搭載されている。二次電池は、例えば両面に活物質層が形成された正極シート及び負極シートを有し、これらがセパレータを間に挟んだ状態で積層された電極組立体を備えている。このような電極組立体として、例えば特許文献１に記載されたものがある。
【０００３】
図７に示すように、特許文献１において、電極積層体８０（電極組立体）は、集電体の片面又は両面に活物質層を塗布して形成された電極８１（正極シート及び負極シート）を、セパレータ８２を介して複数積層して形成されている。この電極積層体８０は、四つの側面に粘着テープ製の固定部材８３が貼着され、この固定部材８３によって電極積層体８０は積層方向に固定されている。そして、固定部材８３によって電極８１の面に沿う方向及び積層方向へのずれが防止された電極積層体８０が外装体（図示せず）に収容されて蓄電装置が形成されている。
【先行技術文献】
【特許文献】
【０００４】
【特許文献１】特開２０１０−８０３２４号公報
【発明の概要】
【発明が解決しようとする課題】
【０００５】
ところで、蓄電装置においては、電極積層体８０を外装体へ挿入する際、電極８１と外装体との接触によって電極８１及び外装体が損傷を受けないように挿入作業を行う必要があり、外装体への電極積層体８０の挿入作業の作業性の向上が望まれている。また、固定部材８３の固定の仕方によっては電極８１がずれてしまい、外装体への電極積層体８０の挿入作業が行いにくくなる場合もある。
【０００６】
本発明は、電極組立体のケースへの挿入性を容易にすることができる蓄電装置を提供することにある。
【課題を解決するための手段】
【０００７】
上記問題点を解決するために、請求項１に記載の発明は、正極活物質層が少なくともいずれか一方の面に形成された正極シート、負極活物質層が少なくともいずれか一方の面に形成された負極シート、及び前記正極シートと前記負極シートの間に介在するセパレータが積層されて構成された電極組立体が、ケースに収容された蓄電装置において、前記電極組立体は、前記正極活物質層、及び該正極活物質層と対向する前記負極活物質層を含む対向部と、前記対向部から前記正極活物質層及び前記負極活物質層の面に沿う方向に延出し、かつ前記正極活物質層及び前記負極活物質層の塗布されていない非対向部とを有し、前記非対向部は、前記対向部における前記電極組立体の積層方向の両端のうち少なくともいずれか一端に向けて寄せ集められ、かつ寄せ集められた側の前記電極組立体の積層方向に直交する方向に沿う端面よりも前記積層方向へ突出しており、さらに、前記寄せ集められた非対向部の少なくとも先端を覆って貼着された粘着テープが前記寄せ集められた側の端面上の前記対向部に貼着されていることを要旨とする。
【０００８】
これによれば、寄せ集められた非対向部には、粘着テープが貼着され、さらに、その粘着テープは、寄せ集められた側の端面の対向部に貼着されている。したがって、粘着テープは非対向部の寄せ集められた側に向けて引っ張られた状態で対向部に貼着される。よって、粘着テープによって非対向部と共に電極組立体を位置決めすることができる。したがって、位置ずれのない電極組立体をケースに挿入することができるため、その挿入作業を容易に行うことができる。また、寄せ集められた非対向部が、その寄せ集められた側の端面上の対向部から外側へ突出している。このため、電極組立体をケースに挿入する際、寄せ集められた非対向部が、対向部とケースとの間の緩衝材として機能する。よって、電極組立体のケースへの挿入時、ケースと対向部（特に正極活物質層）との接触を意識しながら慎重に挿入する必要がなく、電極組立体をケースに容易に挿入することができる。
【０００９】
また、前記非対向部は、前記電極組立体の積層方向の両方の端面側に分けて寄せ集められていてもよい。
これによれば、電極組立体の積層方向の両端側に、寄せ集められた非対向部が突出することとなり、ケースへの正極活物質層及び負極活物質層の接触を電極組立体の積層方向の両端側のいずれでも防止することができる。
【００１０】
また、前記粘着テープの両端部は前記積層方向の両方の端面の対向部に貼着され、前記粘着テープは寄せ集められた二つの非対向部に跨って貼着されていてもよい。
これによれば、寄せ集められた二つの非対向部を一括して粘着テープで位置決めすることができる。
【００１１】
また、前記粘着テープは、前記電極組立体の対向する位置に貼着されていてもよい。
これによれば、電極組立体のずれを防止するために、電極組立体の四つの側面に粘着テープを貼着する場合と比べて、粘着テープの使用量を減らすことができる。
【００１２】
また、前記粘着テープは、前記電極組立体の一部を覆うように貼着されていてもよい。
これによれば、粘着テープの使用量を減らすことができる。
また、前記蓄電装置は二次電池であってもよい。これによれば、電極組立体のケースへの挿入性を容易にすることができる。
【発明の効果】
【００１３】
本発明によれば、電極組立体のケースへの挿入性を容易にすることができる。
【図面の簡単な説明】
【００１４】
【図１】二次電池の分解斜視図。
【図２】二次電池の外観を示す斜視図。
【図３】電極組立体の構成要素を示す分解斜視図。
【図４】容器内の電極組立体及び集積部を示す部分断面図。
【図５】別例の電極組立体を示す斜視図。
【図６】別例の電極組立体を示す斜視図。
【図７】背景技術を示す図。
【発明を実施するための形態】
【００１５】
以下、本発明を具体化した一実施形態を図１〜図４にしたがって説明する。蓄電装置は、車両（自動車及び産業用車両）に複数搭載されており、車両に搭載された走行用モータ（電動機）を駆動するのに用いられる。なお、図面の都合上、図３等に示す非対向部の長さ等を、適宜実際の寸法と異ならせて示す。
【００１６】
図１及び図２に示すように、蓄電装置としての二次電池１０は、その外郭を構成する金属製のケース１１を備えている。ケース１１は、四角箱状の容器１２と、容器１２の開口部分を塞ぐ矩形平板状の蓋１３とからなる。このため、二次電池１０は、その外郭が角型をなしている。なお、本実施形態の二次電池１０はリチウムイオン二次電池である。また、ケース１１には、電極組立体１４及び電解質としての電解液（図示略）が収容されている。
【００１７】
図３に示すように、電極組立体１４は、複数の正極シート２１と複数の負極シート２２とが、電気伝導に係るイオン（リチウムイオン）が通過可能な多孔質膜で形成されたセパレータ２３を介して交互に積層されて構成されている。詳細には、電極組立体１４は、正極シート２１と負極シート２２との間にシート状のセパレータ２３を介在させて正極シート２１と負極シート２２とを絶縁し、これらを一定方向に複数枚積層して構成されている。
【００１８】
正極シート２１は、矩形状に形成された正極金属箔（例えばアルミニウム箔）２１ａと、この正極金属箔２１ａの両面に正極活物質が塗布されることによって形成された正極活物質層２１ｂとから構成されている。負極シート２２は、矩形状に形成された負極金属箔（例えば銅箔）２２ａと、この負極金属箔２２ａの両面に負極活物質が塗布されることによって形成された負極活物質層２２ｂとから構成されている。負極活物質としては、黒鉛とニ酸化ケイ素などとを混合したものを用いることができ、炭素（カーボン）系活物質の熱伝導率よりも低い熱伝導率を有する材料を含み、且つリチウムイオンを脱挿入可能な物質を用いる。その他に一酸化ケイ素（一酸化珪素，ＳｉＯ）、チタン酸リチウム、及びリチウムシリケートを用いることができる。
【００１９】
正極シート２１には、正極シート２１の一端部２１ｃ（一辺方向（長辺方向））の一部には、正極金属箔２１ａを延出させて形成された正極集電タブ３１が設けられている。また、負極シート２２には、正極シート２１と同様に、負極シート２２の一端部２２ｃ（一辺方向（長辺方向））の一部には、負極金属箔２２ａを延出させて形成された負極集電タブ３２が設けられている。
【００２０】
図１に示すように、正極シート２１及び負極シート２２は、正極集電タブ３１が積層方向に沿って列状に配置され、且つ正極集電タブ３１と重ならない位置にて負極集電タブ３２が積層方向に沿って列状に配置されるように積層される。そして、各正極集電タブ３１は、電極組立体１４における積層方向の一端から他端までの範囲内で集められた（束ねられた）状態で折り曲げられている。詳細には、各正極集電タブ３１は、電極組立体１４の積層方向の一端側に寄せて集められており、その集められた状態で、上記一端側とは反対側である積層方向の他端側に向けて折り返されている。そして、その各正極集電タブ３１が重なっている箇所を溶接することによって各正極集電タブ３１が電気的に接続されている。各負極集電タブ３２についても同様である。
【００２１】
図１及び図２に示すように、二次電池１０は、電極組立体１４から電力を取り出すための正極端子４１及び負極端子４２を備えている。各端子４１，４２は、ケース１１の蓋１３に形成された貫通孔１３ａを介してケース１１を貫通した状態で取り付けられており、その一部がケース１１外に露出している。また、正極端子４１及び負極端子４２には、ケース１１から絶縁するためのリング状の絶縁リング１３ｂがそれぞれ取り付けられている。
【００２２】
正極端子４１は溶接された各正極集電タブ３１と電気的に接続されており、負極端子４２は溶接された各負極集電タブ３２と電気的に接続されている。これにより、電極組立体１４の電力をケース１１外に取り出すことができるとともに、電極組立体１４に対して電力を供給することにより、電極組立体１４を充電することが可能となっている。
【００２３】
また、電極組立体１４の積層方向の両端には負極シート２２が設けられている。これにより、電極組立体１４における積層方向の両端にある正極活物質層２１ｂにおいて負極活物質層２２ｂと対向しない領域が形成されないようになっている。また、電極組立体１４（詳細には最外層の負極シート２２）と容器１２との短絡を抑制するために、電極組立体１４の積層方向の側面と容器１２の内面との間には絶縁シート３０が設けられている。
【００２４】
図３に示すように、正極シート２１（正極集電タブ３１を除いた矩形状の部分）と負極シート２２（負極集電タブ３２を除いた矩形状の部分）とは、相似形状をなしている。詳細には、正極シート２１は負極シート２２よりも小さく形成されている。正極シート２１（正極金属箔２１ａ）の一辺方向（長辺方向）及び他辺方向（短辺方向）の長さはそれぞれ、負極シート２２（負極金属箔２２ａ）の各方向の長さよりも短く設定されている。
【００２５】
正極シート２１が負極シート２２よりも小さく形成されている関係上、正極活物質層２１ｂは負極活物質層２２ｂよりも小さく形成されている。図３の２点鎖線に示すように、セパレータ２３及び負極シート２２において、正極シート２１における正極活物質層２１ｂと対向する部位は、電極組立体１４における対向部Ｔを構成している。なお、正極シート２１において、正極活物質層２１ｂそのものも対向部Ｔの一部を構成している。また、セパレータ２３及び負極シート２２において、正極活物質層２１ｂの面に沿う方向に正極活物質層２１ｂの端縁から外側にはみ出した部位は、正極活物質層２１ｂと対向しない非対向部２４を形成している。非対向部２４は、正極活物質層２１ｂの四側辺を取り囲んで電極組立体１４の四つの側辺部に設けられている。
【００２６】
図１及び図４に示すように、電極組立体１４の両短辺側には、各非対向部２４を寄せ集めることで集積部２６が二つずつ形成されている。各集積部２６は、それぞれ電極組立体１４の積層方向の両端に向けて非対向部２４を分け、さらに、非対向部２４を積層方向の両端側の負極シート２２での対向部Ｔに向けて屈曲させた状態に形成されている。各集積部２６では、電極組立体１４の積層方向中央側の非対向部２４ほど、集積部２６を覆うように外側に位置し、積層方向の両端側の非対向部２４ほど集積部２６の内側に位置している。電極組立体１４の両短辺側に設けられた非対向部２４は、全て正極活物質層２１ｂからのはみ出し長さは同じである。このため、各集積部２６は、それぞれ電極組立体１４の積層方向の両端（負極シート２２）から積層方向に沿って離れるに従い徐々に上り傾斜するように形成され、その傾斜面に各非対向部２４の先端が配置されている。
【００２７】
粘着テープ２５は、各集積部２６の最外層に露出する各非対向部２４を、各集積部２６が寄せ集められた側の端面に向けて引っ張った状態で両負極シート２２の対向部Ｔに貼着されている。なお、集積部２６が寄せ集められた側の端面とは、電極組立体１４の積層方向に直交する方向に沿う端面であり、積層方向の両端に位置する端面のことである。
【００２８】
そして、各集積部２６は、それぞれ電極組立体１４の長辺方向では正極活物質層２１ｂに向けて押さえられるとともに、電極組立体１４の積層方向では両端の負極シート２２に向けて押し付けられている。このため、各集積部２６では、積層方向に隣り合う非対向部２４同士が互いに密接した状態に粘着テープ２５で位置決めされている。
【００２９】
また、各集積部２６は、それぞれ電極組立体１４の積層方向の両端側の負極シート２２よりも外側へ突出している。図４に示すように、集積部２６の負極シート２２からの突出長さＬは、電極組立体１４の積層方向に積層された非対向部２４の厚みの合計に、粘着テープ２５の厚みを加えた値となる。電極組立体１４の積層方向の端面の負極シート２２と、絶縁シート３０との間隙の長さをＫとする。この場合、電極組立体１４を容器１２内に収容する前の集積部２６の突出長さＬは間隙の長さＫより僅かに長く設定されている。そして、電極組立体１４が容器１２内に収容されると、集積部２６が若干圧縮されて突出長さＬは間隙の長さＫと同じになる。
【００３０】
本実施形態の二次電池１０の作用について以下に説明する。
電極組立体１４において、両短辺側には非対向部２４を積層方向の両端側に寄せ集めた状態で粘着テープ２５によって位置決めした集積部２６が形成されている。粘着テープ２５は、集積部２６内で非対向部２４が互いに密接するように非対向部２４を引っ張りながら両方の集積部２６に貼着されつつ、積層方向の両端側の負極シート２２での対向部Ｔに貼着されている。このため、電極組立体１４は、粘着テープ２５によって積層方向及び各活物質層２１ｂ，２２ｂの面に沿う方向に強く位置決めされ、各方向への位置ずれが防止される。
【００３１】
また、各集積部２６は、電極組立体１４における積層方向の両端側の負極シート２２よりも外側に突出する。このため、電極組立体１４を容器１２に挿入する際、各集積部２６の外面を絶縁シート３０の内面に押し当てながら挿入することができる。よって、集積部２６が電極組立体１４と容器１２との間の緩衝材として機能する。
【００３２】
上記実施形態によれば、以下のような効果を得ることができる。
（１）電極組立体１４において、正極活物質層２１ｂ及び負極活物質層２２ｂと対向せず、かつ正極活物質層２１ｂより外側に延出された非対向部２４を電極組立体１４の積層方向の両端側に向けて寄せ集め粘着テープ２５で位置決めし、電極組立体１４の両短辺側に集積部２６を設けた。そして、集積部２６は、粘着テープ２５を電極組立体１４の積層方向の端面側に向けて引っ張った状態で両負極シート２２に貼着することで形成されている。したがって、粘着テープ２５によって電極組立体１４を位置決めすることができ、電極組立体１４が各活物質層２１ｂ，２２ｂの面に沿う方向及び積層方向に位置ずれすることを防止できる。よって、位置ずれのない電極組立体１４を容器１２に挿入することができるため、その挿入作業を容易に行うことができる。
【００３３】
また、集積部２６はそれぞれ電極組立体１４の積層方向の両端側の負極シート２２よりも外側へ突出している。このため、電極組立体１４を容器１２に挿入する際、集積部２６を容器１２内の絶縁シート３０に押し当てながら挿入することができる。よって、集積部２６が緩衝材として機能し、電極組立体１４の対向部Ｔが絶縁シート３０に直接接触することを防止することができる。
【００３４】
特に、積層方向の両端側の負極シート２２からの集積部２６の突出長さＬは、電極組立体１４での積層方向の両端側の対向部Ｔ（負極シート２２）と絶縁シート３０との間隙の長さＫよりも僅かに長く設定されている。このため、電極組立体１４を容器１２に挿入したとき、集積部２６が絶縁シート３０の内面に押し当てられつつ変形し、その変形により電極組立体１４が容器１２内に保持され、電極組立体１４が落下することを防止できる。よって、電極組立体１４が落下して絶縁シート３０を介して容器１２内面に衝突することが防止できる。したがって、電極組立体１４の容器１２内への落下や正極活物質層２１ｂの接触を意識しながら慎重に挿入する必要がなく、電極組立体１４を容器１２内に容易に挿入することができる。
【００３５】
（２）集積部２６は、電極組立体１４の両短辺側に設けられ、しかも、積層方向の両端側に分けて設けられている。このため、電極組立体１４の積層方向の両端側に集積部２６が突出することとなり、容器１２内面への対向部Ｔ（正極活物質層２１ｂ及び負極活物質層２２ｂ）の接触を電極組立体１４の積層方向の両端側のいずれでも防止することができる。
【００３６】
（３）電極組立体１４の両短辺側では、集積部２６が積層方向の両端側に分けて設けられ、二つの集積部２６に跨って粘着テープ２５が貼着されている。すなわち、粘着テープ２５は、電極組立体１４の積層方向の両端側の負極シート２２での対向部Ｔから二つの集積部２６を覆って一括して負極シート２２に貼着されている。よって、粘着テープ２５によって二つの集積部２６を好適に位置決めすることができる。
【００３７】
（４）各集積部２６は、粘着テープ２５によって積層方向の両端側の対向部Ｔに向けて引っ張られている。このため、各集積部２６では、非対向部２４同士が密接し、電極組立体１４の積層方向へのずれを確実に防止することができる。
【００３８】
（５）集積部２６は、電極組立体１４の両短辺側に設けられ、それら集積部２６を位置決めするために、電極組立体１４の対向する位置（両短辺側）に粘着テープ２５が貼着されている。したがって、電極組立体１４のずれを防止するために、電極組立体１４の四つの側面に粘着テープ２５を貼着する場合と比べて、粘着テープ２５の使用量を減らすことができる。
【００３９】
（６）集積部２６はそれぞれ電極組立体１４の積層方向の両端側の負極シート２２よりも外側へ突出している。このため、ケース１１内に電極組立体１４が収容された状態では、電極組立体１４の対向部Ｔと容器１２（絶縁シート３０）内面との間には間隙が形成される。よって、二次電池１０の充電により電極組立体１４全体が積層方向に膨張しても、間隙によって膨張を許容することができる。
【００４０】
なお、上記実施形態は以下のように変更してもよい。
○  実施形態では、電極組立体１４の両短辺側に集積部２６を設け、各短辺側で別々の粘着テープ２５で集積部２６を位置決めしたが、図５に示すように、電極組立体１４全体を取り囲むように粘着テープ２５を電極組立体１４に貼着して、一本の粘着テープ２５で全ての集積部２６を位置決めしてもよい。
【００４１】
○  実施形態では、電極組立体１４の両短辺側に集積部２６を設けたが、集積部２６を設ける位置は適宜変更してもよい。例えば、図６に示すように、集積部２６を電極組立体１４において、正極集電タブ３１及び負極集電タブ３２が設けられた側と反対側（長辺側）に設けてもよい。
【００４２】
○  実施形態では、粘着テープ２５は積層方向の両端側の負極シート２２での対向部Ｔに跨って二つの集積部２６に貼着されていたが、粘着テープ２５は、一端側が各集積部２６の先端部を覆って貼着された状態で他端側が一方の負極シート２２での対向部Ｔに貼着されていてもよい。すなわち、集積部２６が位置決めできれば、粘着テープ２５の貼着の仕方は適宜変更してもよい。
【００４３】
○  実施形態では、非対向部２４を電極組立体１４の積層方向の両端側に向けて寄せ集めて二つの集積部２６を形成したが、集積部２６は一つでもよい。すなわち、非対向部２４を、電極組立体１４の積層方向の一端側に向けて寄せ集めて一つの集積部２６を形成してもよい。
【００４４】
○  実施形態では、二つの集積部２６を非対向部２４の中央から分けて形成したが、各集積部２６を形成する非対向部２４の枚数は適宜変更してもよい。例えば、積層方向の一端側に寄せ集めた集積部２６を形成する非対向部２４を、積層方向の他端側に寄せ集めた集積部２６を形成する非対向部２４より少なくしてもよいし、その逆でもよい。
【００４５】
○  実施形態では、非対向部２４を、セパレータ２３及び負極シート２２において正極活物質層２１ｂと対向しない部位としたが、負極活物質層２２ｂは非対向部２４として使用せず、セパレータ２３の正極活物質層２１ｂと対向しない部位のみで非対向部２４を形成してもよい。
【００４６】
○  実施形態では、正極集電タブ３１及び負極集電タブ３２は、電極組立体１４における積層方向の一端から他端までの範囲内で集められた（束ねられた）状態で折り曲げられた構成としたが、正極集電タブ３１及び負極集電タブ３２は集めた状態としなくてもよい。
【００４７】
○  正極活物質層２１ｂ及び負極活物質層２２ｂは、正極金属箔２１ａ及び負極金属箔２２ａの片面に形成されていてもよい。
○  電極組立体１４を構成する正極シート２１、及び負極シート２２の枚数は適宜変更してもよい。
【００４８】
○  ケース１１の形状は、円柱状や、左右方向に扁平な楕円柱状に形成してもよい。
○  本発明は、蓄電装置としてのニッケル水素二次電池や、電気二重層キャパシタとして具体化してもよい。
【符号の説明】
【００４９】
Ｔ…対向部、１０…蓄電装置としての二次電池、１１…ケース、１４…電極組立体、２１…正極シート、２１ｂ…正極活物質層、２２…負極シート、２２ｂ…負極活物質層、２３…セパレータ、２４…非対向部、２５…粘着テープ。
【図１】
2014035916.tif 000003
【図２】
2014035916.tif 000004
【図３】
2014035916.tif 000005
【図４】
2014035916.tif 000006
【図５】
2014035916.tif 000007
【図６】
2014035916.tif 000008
【図７】
2014035916.tif 000009